(57)【要約】【課題】組み立てコストが低減されたファインダ画面用のスーパーインポーズ装置を提供する。【解決手段】一眼レフカメラのファインダ光学系にペンタルーフミラーを用いる。撮像レンズから入射された光をクイックリターンミラー１４で反射して、焦点板１５に結像させる。ペンタルーフ部１２に設けられたダハミラー１１およびハーフミラーである第３反射面１３で反射された焦点板１５の被写体像をファインダ１６の接眼光学系１７を通して観察する。第３反射面の裏側に被写体像に測距位置等をスーパーインポーズする投光ユニット２０を取り付ける。投光ユニット２０において、光源部２１、第１投光ミラー２２、投光レンズ２３、第２投光ミラー２４をホルダー２７に一体的に組み付ける。【選択図】図１
2007310193.tif 000002
【特許請求の範囲】
【請求項１】
ペンタゴナル・ルーフ・ミラーまたはペンタゴナルダハプリズムを用いたカメラのファインダ光学系に用いられるスーパーインポーズ用の投光ユニットであって、
投光用の光源と、
投光用のレンズと、
前記投光用レンズを介した前記光源からの光を前記ペンタゴナル・ルーフ・ミラーまたは前記ペンタゴナルダハプリズムの第３反射面に向けて反射する投光用のミラーとを備え、
前記投光用の光源と前記投光用のレンズと前記投光用のミラーとが一体的なユニットとして構成された
ことを特徴とするスーパーインポーズ用の投光ユニット。
【請求項２】
前記投光ユニットが第１及び第２の投光用ミラーを備え、前記光源からの光が、前記第１の投光用ミラーで反射された後、前記第２の投光用ミラーに反射され、前記第２の投光用ミラーが前記光を前記第３反射面に向けて反射するためのミラーであり、前記第１の投光用ミラーの角度が調整可能でることを特徴とする請求項１に記載の投光ユニット。
【請求項３】
屋根型をなした第１および第２反射面と、前記第１反射面および前記第２反射面で反射される光束を接眼光学系へ向けて反射させる第３反射面とを備えた像反転光学部材を有するファインダ光学系に用いられるスーパーインポーズ装置であって、
投光用光源と投光用レンズと前記投光用レンズを介した前記光源からの光を像反転光学系の第３反射面の裏面へ向けて偏向する投光用のミラーとが一体的に収容された投光ユニットと、
前記投光ユニットと前記像反転光学部材とが取り付けられる支持部材とから構成され、
前記投光ユニットと前記像反転光学部材とは互いに非接触状態で前記支持部材に載置されるとともに、前記像反転部材の前記第三反射面の裏面前方に前記投光用ミラーが配置されている
ことを特徴とするスーパーインポーズ装置。
【請求項４】
前記像反転光学部材はペンタゴナル・ルーフ・ミラーであり、前記第３反射面がハーフミラーであることを特徴とする請求項３に記載のスーパーインポーズ装置。
【発明の詳細な説明】
【技術分野】
【０００１】
本発明は、ファインダを通して観察される画像に各種情報をスーパーインポーズする装置に関する。
【背景技術】
【０００２】
一眼レフカメラのファインダでは、焦点板に結像された被写体像が、像反転光学部材であるペンタゴナルダハプリズムを介して観察される。ファインダを通して観察される被写体像に測距点や測距エリアなどの情報をスーパーインポーズする方法としてペンタゴナルダハプリズムの第３反射面から光を入射し、被写体像に測距点や測距エリアをスーパーインポーズするものが知られている（特許文献１）。一方、ペンタゴナルダハプリズムの代わりに、反射面をミラーで構成したペンタゴナル・ルーフ・ミラーを用いたファインダも知られている。
【特許文献１】特開２０００−８９３３６号公報
【発明の開示】
【発明が解決しようとする課題】
【０００３】
しかし、特許文献１の構造では、ペンタゴナルダハプリズムの第３反射面に対して、スーパーインポーズのための投光用三角プリズムを高い精度で配置する必要があるため、光学的位置出しに手間が掛かり、部品点数も増大する。特にペンタゴナル・ルーフ・ミラーを用いた場合、投光用三角プリズムが例えばスペーサを介して第３反射面に押圧されるため、第３反射面に歪みが生じるという問題がある。
【０００４】
本発明は、組み立てコストが低減されたファインダ画面用のスーパーインポーズ装置を提供することを課題としている。更に本発明はファインダの軽量化を図るとともにスーパーインポーズにおいてゴーストの発生を抑えることを課題としている。
【課題を解決するための手段】
【０００５】
本発明の請求項１に係るスーパーインポーズ用の投光ユニットは、ペンタゴナル・ルーフ・ミラーまたはペンタゴナルダハプリズムを用いたカメラのファインダ光学系に用いられるスーパーインポーズ用の投光ユニットであって、投光用の光源と、投光用のレンズと、投光用レンズを介した光源からの光をペンタゴナル・ルーフ・ミラーまたはペンタゴナルダハプリズムの第３反射面に向けて反射する投光用のミラーとを備え、投光用の光源と投光用のレンズと投光用のミラーとが一体的なユニットとして構成されたことを特徴としている。
【０００６】
投光ユニットは、第１及び第２の投光用ミラーを備え、光源からの光が第１の投光用ミラーで反射された後、第２の投光用ミラーに反射され、第２の投光用ミラーが光を第３反射面に向けて反射するためのミラーであり、第１の投光用ミラーの角度が調整可能でることが好ましい。
【０００７】
また本発明の請求項３に係るスーパーインポーズ装置は、屋根型をなした第１および第２反射面と、第１反射面および第２反射面で反射される光束を接眼光学系へ向けて反射させる第３反射面とを備えた像反転光学部材を有するファインダ光学系に用いられるスーパーインポーズ装置であって、投光用光源と、投光用レンズと、投光用レンズを介した光源からの光を像反転光学系の第３反射面の裏面へ向けて偏向する投光用のミラーとが一体的に収容された投光ユニットと、投光ユニットと像反転光学部材とが取り付けられる支持部材とから構成され、投光ユニットと像反転光学部材とが互いに非接触状態で支持部材に載置されるとともに、像反転部材の第３反射面の裏面前方に投光用ミラーが配置されたことを特徴としている。
【０００８】
像反転光学部材は例えばペンタゴナル・ルーフ・ミラーであり、第３反射面はハーフミラーである。
【発明の効果】
【０００９】
以上のように、本発明によれば、ファインダ画面用のスーパーインポーズ装置の組み立てコストを低減することができ、更にファインダの軽量化を図るとともにスーパーインポーズにおいてゴーストの発生を抑えることができる。
【発明を実施するための最良の形態】
【００１０】
以下、本発明の実施の形態を、図面を参照して説明する。
図１は、本発明の第１実施形態におけるファインダ光学系を含むファインダ画面用のスーパーインポーズ装置の構造を示す模式的な側断面図である。
【００１１】
本実施形態のファインダ光学系には、例えばペンタゴナル・ルーフ・ミラー１０が用いられる（ペンタゴナルダハプリズムであってもよい）。ペンタゴナル・ルーフ・ミラー１０は、ダハミラー（第１および第２反射面）１１を有するペンタルーフ部１２と、第３反射面１３とから構成される。撮影レンズを通して入射した光は、クイックリターンミラー１４において焦点板１５に向けて反射され、焦点板１５に被写体像を形成する。
【００１２】
焦点板１５の上方には、ペンタルーフ部１２が設けられ、焦点板１５からの光は、ペンタルーフ部１２のダハミラー１１で反射された後、ハーフミラーである第３反射面１３においてファインダ１６の接眼光学系１７に向けて反射される。すなわち、ユーザは、ファインダ１６に設けられた接眼光学系１７を通して焦点板１５に投影された被写体像を観察することができる。
【００１３】
本実施形態において、第３反射面１３をなすハーフミラーの裏側には、ファインダ画面に光源からの光をスーパーインポーズするための投光ユニット２０が配置される。投光ユニット２０の投光光学系は、光源部２１、第１投光ミラー２２、投光レンズ２３、および第２投光ミラー２４から主に構成される。
【００１４】
光源部２１は、複数のＬＥＤ２５と、各ＬＥＤ２５に対応する位置に所定の大きさの穿孔が設けられ、これらの穿孔から拡散光を照射する拡散シート２６を備える。拡散シート２６を通過した光は、第１投光ミラー２２において反射され、投光レンズ２３に入射される。投光レンズ２３からの光（光束）は第２投光ミラー２４において反射されて、第３反斜面１３を透過してペンタルーフ部１２内へ入り、接眼光学系１７の光軸にほぼ平行に接眼光学系１７に向けて射出される。
【００１５】
これにより、ファインダ視野内において、測距エリアの位置に対応した点像が被写体像にスーパーインポーズされた画像が観察者に視認される。なお、拡散シート２６の各穿孔から照射された光は、ファインダ画面において例えば測距が行われる測距点に対応する位置にそれぞれスーパーインポーズされ、現在測距に用いられている領域を表示したり、測距に用いる領域を選択したりするのに用いられる。なお、投光ユニット２０からの光が入射する第３反射面の裏側（入射面）にはマルチコートが施される。
【００１６】
図２は、第３反射面１３を構成するハーフミラーがペンタルーフ部１２に装着されたペンタゴナル・ルーフ・ミラー１０と投光ユニット２０の前方斜め上からの斜視図であり、投光ユニット２０は分解された状態で示される。投光光学系を構成する光源部２１、第１投光ミラー２２、投光レンズ２３、第２投光ミラー２４は、ホルダー２７に組み付けられ一体的な投光ユニット２０を構成する。
【００１７】
図３にはホルダー２７と組み付け前の第２投光ミラー２４の後方斜め上からの斜視図が示され、図４には光源部２１、第１投光ミラー２２、投光レンズ２３、第２投光ミラー２４がホルダー２７に組み付けられた状態での投光ユニット２０の斜視図が示される。
【００１８】
図２に示されるように、第３反射面（ハーフミラー）１３は、固定テープ１８により、ペンタルーフ部１２に取り付けられ固定される。一方投光ユニット２０において、光源部２１は、一対のネジ２８Ａをホルダー２７に設けられたネジ穴２８Ｂに螺着することによりホルダー２７に取り付けられ、ホルダー２７に設けられた開口部２９に光源部本体は嵌め入れられる。
【００１９】
第１投光ミラー２２は、ミラー本体２２Ａと、ミラー本体２２Ａを保持する枠部２２Ｂと、枠部２２Ｂの両側から延出する軸部２２Ｃから構成される。軸部２２Ｃはホルダー２７に設けられた軸受部３０に軸支され、第１投光ミラー２２は、投光光学系における光軸に垂直な軸周りに回動可能とされる。また、軸部２２Ｃが軸受部３０に取り付けられると第１投光ミラー２２を覆う第１カバー部材３０が、一対のネジ３０Ａをホルダー２７に設けられたネジ穴３０Ｂに螺着することによりホルダー２７に装着される。
【００２０】
一方、投光レンズ２３は、第１カバー部材３０とは反対側の図３に示され方向から、ホルダー２７内に挿入され、ホルダー２７に設けられたレンズマウント部３１に取り付けられる。また、第２投光ミラー２４も投光レンズ２３と同じ方向からホルダー２７内に挿入され、ホルダー２７に設けられた第２投光ミラー載置部３２に載置・固定される。
【００２１】
なお、第２投光ミラー載置部３２には、第２投光ミラー２４の位置決めを行い、その位置を固定するための凸部３２Ａが形成されており、第２投光ミラー２４の裏面と当接する。投光レンズ２３および第２投光ミラー２４がホルダー２７に装着されると、第２カバー部材３３がホルダー２７に装着され、投光レンズ２３は第２カバー部材３３により覆われる。
【００２２】
また、投光ユニット２０は、焦点板１５を保持する焦点板枠部４０（図５、６参照）に一対のネジ２０Ａによって固定される（なお焦点板枠部４０は、図示しないカメラ本体に固定される）。すなわち、ホルダー２７の両側面からはネジ２０Ａを装着するためのネジ固定部３４が延出し、ネジ２０Ａはネジ固定部３４の各々に設けられた穴３４Ａに挿通され、焦点板枠部４０に設けられたネジ穴４０Ｂに螺着される。なお、図５にペンタゴナル・ルーフ・ミラー１０と投光ユニット２０が焦点板枠部４０に組み付けられる前の状態を斜視図として示し、図６に組み付け後の状態を示す。
【００２３】
また、一方のネジ２０Ａには板バネ（リターンスプリング）３５が取り付けられ、板バネ３５はネジ固定部３４に固定される。板バネ３５は、第１投光ミラー２２の軸部２２Ｃに係合され、これに回転付勢力を与える付勢手段である。すなわち、一方の軸部２２Ｃには、軸の径方向に延出するレバー２２Ｄが設けられており、板バネ３５はレバー２２Ｄに当接し、これを押圧する。これにより、軸部２２Ｃには回転付勢力が与えられる。
【００２４】
一方、レバー２２Ｄの回転は、アジャストスクリュー３６により規制される。すなわち、ホルダー２７には、アジャストスクリュー３６を螺挿するアジャストスクリュー取付部３７が設けられ、アジャストスクリュー取付部３７から延出するアジャストスクリュー３６の先端は、板バネ３５によって付勢されるレバー２２Ｄの回転を規制するようにレバー２２Ｄに当接する。これにより、第１投光ミラー２２の角度をアジャストスクリュー３６の突出量を調整することにより微調整することができる。
【００２５】
以上のように、本実施形態のスーパーインポーズ装置によれば、第３反射面に当て付けられるプリズムに比べて第３反射面に対する位置決め精度が低くともよい第２投光ミラーを採用していることから、第２投光ミラーを投光ユニットに一体化することが可能である。これにより投光ユニットを、第３反斜面１３に外力を加えることなくペンタゴナル・ルーフ・ミラーの前方に取り付けることが可能となり、製造コストおよび時間を削減できる。
【００２６】
また、プリズムを第３反射面に当て付ける場合、全反射しないように、プリズムの取り付け角度および取り付け位置の調整を厳密に行う必要があるが、上記本実施形態の構成によれば、第１投光ミラー２２の角度調整のみで幅広く対応できる。さらに、ペンタゴナル・ルーフ・ミラーにおいて、プリズムを第３反射面に当て付ける場合、取り付け角度のずれの大きさに応じて光源の点像のずれが大きくなるが、上記本実施形態のように、第２投光ミラー２４を用いる構成によれば、光の点像のずれは第３反射面の厚みで決まるため、ゴースト対策（コート処理など）が容易である。
【００２７】
また、プリズムに換えてミラーを採用したことにより、投光レンズから拡散シート（光源）までの距離を短くすることができ、投光ユニットを小型化することができる。
【図面の簡単な説明】
【００２８】
【図１】本発明の第１実施形態におけるファインダ光学系を含むファインダ画面用のスーパーインポーズ装置の構造を示す模式的側断面図である。
【図２】ペンタゴナル・ルーフ・ミラーと投光ユニットの前方斜め上からの斜視図である。
【図３】ホルダーと組み付け前の第２投光ミラーの後方斜め上からの斜視図である。
【図４】光源部、第１投光ミラー、投光レンズ、第２投光ミラーがホルダーに組み付けられた投光ユニットの斜視図である。
【図５】ペンタゴナル・ルーフ・ミラーと投光ユニットが焦点板枠部に組み付けられる前の状態の斜視図である。
【図６】ペンタゴナル・ルーフ・ミラーと投光ユニットが焦点板枠部に組み付けられた状態の斜視図である。
【符号の説明】
【００２９】
１０  ペンタゴナル・ルーフ・ミラー
１１  ダハミラー（第１、第２反射面）
１２  ペンタルーフ部
１３  第３反射面
１４  クイックリターンミラー
１５  焦点板
１６  ファインダ
１７  接眼光学系
２０  投光ユニット
２１  光源部
２２  第１投光ミラー
２３  投光レンズ
２４  第２投光ミラー
２５  ＬＥＤ
２６  拡散シート
２７  ホルダー
【図１】
2007310193.tif 000003
【図２】
2007310193.tif 000004
【図３】
2007310193.tif 000005
【図４】
2007310193.tif 000006
【図５】
2007310193.tif 000007
【図６】
2007310193.tif 000008